(57)【要約】【課題】デジタルカメラ側にバックアップをするときのための設定を設けることにより、バックアップ時にバックアップするファイルを選択する作業をしなくて済むデジタルカメラを提供する。【解決手段】デジタルカメラの記録メディアに記録されている画像データを外部記録媒体にバックアップするときのために、デジタルカメラにバックアップ用外部記録媒体の残記録容量を示す残容量を設定する残容量設定手段を設け、記録メディアの残記録容量が設定された残容量よりも大きいとき、記録制御手段は、記録メディアの記録済み容量が残容量の大きさに達したら記録メディアにおいて新しいフォルダを作成し、当該新しいフォルダに以降の画像情報を記録する。以降の画像データを次の外部記録媒体に格納したときにその画像情報は新しいフォルダ名が付与され、格納した画像情報の整理がしやすくなる。【選択図】  図３
2005005841.tif 000002
【特許請求の範囲】
【請求項１】
撮影時に被写体を撮像して被写体像を示す画像情報を得る撮像手段と、
前記画像情報を記録する記録手段と、
前記記録手段に記録されている前記画像情報を格納可能な外部記録媒体の残記録容量を示す残容量を設定する残容量設定手段と、
前記記録手段の残記録容量が前記残容量設定手段によって設定された残容量よりも大きいとき、前記記録手段の記録済み容量が前記残容量設定手段によって設定された残容量の大きさに達したら前記記録手段において新しいフォルダを作成し、当該新しいフォルダに以降の画像情報を記録する記録制御手段と、
からなるデジタルカメラ。
【請求項２】
撮影時に被写体を撮像して被写体像を示す画像情報を得る撮像手段と、
記録媒体を装着可能であって、前記記録媒体に前記画像情報を記録すると共に装着する記録媒体を第１の記録媒体から第２の記録媒体に交換可能な記録手段と、
前記記録媒体に記録されている前記画像情報を格納可能な外部記録媒体の残記録容量を示す残容量を設定する残容量設定手段と、
前記第１の記録媒体の残記録容量が前記残容量設定手段によって設定された残容量よりも小さいとき、第１の記録媒体の残記録容量が無くなった後に第２の記録媒体が装着された場合に、前記第１の記録媒体及び前記第２の記録媒体の総記録済み容量が前記残容量設定手段によって設定された残容量の大きさになるまで第２の記録媒体における当該画像情報のフォルダ名を第１の記録媒体における当該画像情報のフォルダ名と同じにすると共に第２の記録媒体における当該画像情報の画像ファイル名を第１の記録媒体における当該画像情報のファイル名から連続した表示にする記録制御手段と、
からなるデジタルカメラ。
【請求項３】
撮影時に被写体を撮像して被写体像を示す画像情報を得る撮像手段と、
複数の記録媒体が装着可能である、当該複数の記録媒体に対応する複数の記録媒体装着部と、
前記複数の記録媒体に前記画像情報を記録可能な記録手段と、
前記記録媒体に記録されている前記画像情報を格納可能な外部記録媒体の残記録容量を示す残容量を設定する残容量設定手段と、
前記複数の記録媒体のうちの第１の記録媒体の残記録容量が前記残容量設定手段によって設定された残容量よりも小さいとき、前記記録媒体装着部に装着されている第１の記録媒体の残記録容量が無くなったときに前記複数の記録媒体のうちの第２の記録媒体が前記記録媒体装着部に装着されている場合に、前記第１の記録媒体及び前記第２の記録媒体の総記録済み容量が前記残容量設定手段によって設定された残容量の大きさになるまで第２の記録媒体における当該画像情報のフォルダ名を第１の記録媒体における当該画像情報のフォルダ名と同じにすると共に第２の記録媒体における当該画像情報の画像ファイル名を第１の記録媒体における当該画像情報のファイル名から連続した表示にし、前記第１の記録媒体及び前記第２の記録媒体の総記録済み容量が前記残容量設定手段によって設定された残容量の大きさになった場合前記第２の記録媒体に新しいフォルダを作成し、当該新しいフォルダに以降の画像情報を記録する記録制御手段と、
からなるデジタルカメラ。
【請求項４】
撮影時に被写体を撮像して被写体像を示す画像情報を得る撮像手段と、
前記画像情報を記録する記録手段と、
前記記録手段に記録されている前記画像情報を格納可能な外部記録媒体の残記録容量を示す残容量を設定する残容量設定手段と、
前記設定した残容量までの前記記録手段の残記録容量に対応する記録可能枚数を表示可能な表示手段と、からなるデジタルカメラ。
【発明の詳細な説明】
【０００１】
【発明の属する技術分野】
本発明は、デジタルカメラに係り、特に、撮影した画像を保存用記録媒体に記録する機能を備えたデジタルカメラに関する。
【０００２】
【従来の技術】
近年、デジタルカメラでは、当該デジタルカメラに内蔵又は装着された画像情報記録用の記録媒体に記録された画像情報を、通信機能を用いる等によりＣＤ−Ｒ、ＤＶＤ、ＭＯなどの外部記録媒体に転送等することによってバックアップすることが多い。
【０００３】
この種のデジタルカメラにおける、撮影によって記録された画像データの記録装置又は記録装置を備えた外部装置への転送に関する技術としては、下記特許文献１や下記特許文献２に記載の技術があった。
【０００４】
特許文献１に記載の技術では、デジタルカメラにおいて送信すべき画像ファイルの全ファイル数をファイル情報として外部装置に送信した後に上記送信すべき画像ファイルを外部装置に順次送信し、外部装置において上記ファイル情報を受信した後に上記画像ファイルを順次受信し、受信したファイル情報に基づいて画像ファイルの転送の終了を判断してデータ通信モードを自動的に終了させており、これによってデジタルカメラから外部装置への画像データの送信を簡易化していた。
【０００５】
一方、特許文献２に記載の技術では、外部装置の装着面をデジタルカメラの本体部に設けられた接続板に接続することにより、カメラ本体部側の接続端子と外部装置側の接続端子とを直接接続するようにしており、これによってカメラ本体部と外部装置とをケーブルで接続することなく、簡易な手順で画像データを転送できるようにしていた。
【０００６】
しかしながら、カメラ側の記録媒体容量とバックアップ先の記録媒体容量とは異なることが多いため、カメラの記録媒体１枚全てのデータをバックアップ先の記録媒体に記録できない場合や、カメラの記録媒体１枚全てのデータをバックアップ先の記録媒体に記録してもバックアップ先の記録媒体の容量が余ってしまい、ユーザがバックアップ作業の都度バックアップ先の記録媒体の空き容量を気にしながらバックアップ作業をする必要があった。
【０００７】
特に、上記特許文献１や特許文献２に記載の技術では、外部装置に備えられた画像データを記録するための記録媒体の残記録容量が転送すべき画像データの容量以上である場合には簡易に画像データを外部装置に転送することができるものの、外部装置に備えられた記録媒体の残記録容量が転送すべき画像データの容量より少ない場合には、当該画像データの転送途中で容量不足が判明して当該画像データの転送が中止されるので、画像データの転送作業に無駄が生じる、という問題点があった。
【０００８】
このため、本出願人は、特願２００２−１５２４２８号出願において、撮影によって得られた画像情報を外部記録媒体（ＤＶＤ、ＣＤ−Ｒ、ＭＯ、ＭＤなど）へ転送する作業における無駄の発生を未然に防止することのできるデジタルカメラを開示したが、デジタルカメラの記録媒体容量がバックアップ先の記録媒体容量より大きい場合は、バックアップ時に、転送するファイルを選択する作業が発生し、面倒であった。
【０００９】
【特許文献１】
特開２０００−２８７１１５号公報
【００１０】
【特許文献２】
特開平１１−２５２４２３号公報
【００１１】
【発明が解決しようとする課題】
本発明は、上記の事実を考慮して、デジタルカメラ側にバックアップをするときのための設定を設けることにより、バックアップ時にバックアップするファイルを選択する作業をしなくて済むデジタルカメラを提供することを目的とする。
【００１２】
【課題を解決するための手段】
請求項１記載の本発明は、撮影時に被写体を撮像して被写体像を示す画像情報を得る撮像手段と、
前記画像情報を記録する記録手段と、
前記記録手段に記録されている前記画像情報を格納可能な外部記録媒体の残記録容量を示す残容量を設定する残容量設定手段と、
前記記録手段の残記録容量が前記残容量設定手段によって設定された残容量よりも大きいとき、前記記録手段の記録済み容量が前記残容量設定手段によって設定された残容量の大きさに達したら前記記録手段において新しいフォルダを作成し、当該新しいフォルダに以降の画像情報を記録する記録制御手段と、
からなるデジタルカメラ、からなる。
【００１３】
請求項１の本発明によれば、前記外部記録媒体は前記記録手段に記録されている前記画像情報を格納可能である。前記記録手段の残記録容量が前記設定された前記外部記録媒体の残容量よりも大きいとき、前記記録制御手段は、前記記録手段の記録済み容量が前記残容量の大きさに達したら前記記録手段において新しいフォルダを作成し、当該新しいフォルダに以降の画像情報を記録する。すなわち、前記外部記録媒体における画像情報の格納時に残容量が一杯になったら、記録手段で新しいフォルダが作成されるので、次の外部記録媒体に格納したときにその画像情報は新しいフォルダ名が付与され、格納した画像情報の整理がしやすくなる。
【００１４】
請求項２の本発明は、撮影時に被写体を撮像して被写体像を示す画像情報を得る撮像手段と、
記録媒体を装着可能であって、前記記録媒体に前記画像情報を記録すると共に装着する記録媒体を第１の記録媒体から第２の記録媒体に交換可能な記録手段と、
前記記録媒体に記録されている前記画像情報を格納可能な外部記録媒体の残記録容量を示す残容量を設定する残容量設定手段と、
前記第１の記録媒体の残記録容量が前記残容量設定手段によって設定された残容量よりも小さいとき、第１の記録媒体の残記録容量が無くなった後に第２の記録媒体が装着された場合に、前記第１の記録媒体及び前記第２の記録媒体の総記録済み容量が前記残容量設定手段によって設定された残容量の大きさになるまで第２の記録媒体における当該画像情報のフォルダ名を第１の記録媒体における当該画像情報のフォルダ名と同じにすると共に第２の記録媒体における当該画像情報の画像ファイル名を第１の記録媒体における当該画像情報のファイル名から連続した表示にする記録制御手段と、
からなるデジタルカメラ、からなる。
【００１５】
請求項２の本発明によれば、前記外部記録媒体は前記記録媒体に記録されている前記画像情報を格納可能である。前記第１の記録媒体の残記録容量が前記設定された前記外部記録媒体の残容量よりも小さいとき、第１の記録媒体の残記録容量が無くなった後に第２の記録媒体が装着された場合に、前記記録制御手段は、前記第１の記録媒体及び前記第２の記録媒体の総記録済み容量が前記設定された残容量の大きさになるまで第２の記録媒体における当該画像情報のフォルダ名を第１の記録媒体における当該画像情報のフォルダ名と同じにすると共に第２の記録媒体における当該画像情報の画像ファイル名を第１の記録媒体における当該画像情報のファイル名から連続した表示にする。すなわち、第１の記録媒体から第２の記録媒体にかけて同一シリーズの画像情報であると思われるものは同じフォルダ名で記録することにより、外部記録媒体においては第１の記録媒体での画像情報と第２の記録媒体での画像情報とが同じフォルダ名で格納され、かつ連続した表示のファイル名にされるので、画像情報の整理がしやすくなる。
【００１６】
請求項３の本発明は、撮影時に被写体を撮像して被写体像を示す画像情報を得る撮像手段と、
複数の記録媒体が装着可能である、当該複数の記録媒体に対応する複数の記録媒体装着部と、
前記複数の記録媒体に前記画像情報を記録可能な記録手段と、
前記記録媒体に記録されている前記画像情報を格納可能な外部記録媒体の残記録容量を示す残容量を設定する残容量設定手段と、
前記複数の記録媒体のうちの第１の記録媒体の残記録容量が前記残容量設定手段によって設定された残容量よりも小さいとき、前記記録媒体装着部に装着されている第１の記録媒体の残記録容量が無くなったときに前記複数の記録媒体のうちの第２の記録媒体が前記記録媒体装着部に装着されている場合に、前記第１の記録媒体及び前記第２の記録媒体の総記録済み容量が前記残容量設定手段によって設定された残容量の大きさになるまで第２の記録媒体における当該画像情報のフォルダ名を第１の記録媒体における当該画像情報のフォルダ名と同じにすると共に第２の記録媒体における当該画像情報の画像ファイル名を第１の記録媒体における当該画像情報のファイル名から連続した表示にし、前記第１の記録媒体及び前記第２の記録媒体の総記録済み容量が前記残容量設定手段によって設定された残容量の大きさになった場合前記第２の記録媒体に新しいフォルダを作成し、当該新しいフォルダに以降の画像情報を記録する記録制御手段と、
からなるデジタルカメラ、からなる。
【００１７】
請求項３の本発明によれば、前記外部記録媒体は前記記録媒体に記録されている前記画像情報を格納可能である。前記第１の記録媒体の残記録容量が前記設定された前記外部記録媒体の残容量よりも小さいとき、前記第１の記録媒体の残記録容量が無くなったときに前記第２の記録媒体が前記記録媒体装着部に装着されている場合に、前記記録制御手段は、前記第１の記録媒体及び前記第２の記録媒体の総記録済み容量が前記設定された残容量の大きさになるまで第２の記録媒体における当該画像情報のフォルダ名を第１の記録媒体における当該画像情報のフォルダ名と同じにすると共に第２の記録媒体における当該画像情報の画像ファイル名を第１の記録媒体における当該画像情報のファイル名から連続した表示にし、前記第１の記録媒体及び前記第２の記録媒体の総記録済み容量が前記設定された残容量の大きさになった場合前記第２の記録媒体に新しいフォルダを作成し、当該新しいフォルダに以降の画像情報を記録する。すなわち、第１の記録媒体から第２の記録媒体にかけて同一シリーズの画像情報であると思われるものは同じフォルダ名で記録することにより、外部記録媒体において第１の記録媒体での画像情報と第２の記録媒体での画像情報とが同じフォルダ名で格納され、かつ連続した表示のファイル名にされるので、画像情報の整理がしやすい。さらに、前記第１の記録媒体及び前記第２の記録媒体の総記録済み容量が前記設定された残容量の大きさになった場合、前記第２の記録媒体に新しいフォルダを作成し、当該新しいフォルダに以降の画像情報を記録することにより、次の外部記録媒体に格納する際にその新しいフォルダにより以降の画像情報が記録されるので画像情報の整理がしやすくなる。
【００１８】
請求項４の本発明は、撮影時に被写体を撮像して被写体像を示す画像情報を得る撮像手段と、
前記画像情報を記録する記録手段と、
前記記録手段に記録されている前記画像情報を格納可能な外部記録媒体の残記録容量を示す残容量を設定する残容量設定手段と、
前記設定した残容量までの前記記録手段の残記録容量に対応する記録可能枚数を表示可能な表示手段と、からなるデジタルカメラ、からなる。
【００１９】
請求項４の本発明によれば、残記録容量に対応する記録可能枚数を表示することができるので、ユーザは同じ外部記録媒体にあと何枚記録可能かどうか見ながら撮影することができる。
【００２０】
【発明の実施の形態】
以下、図面を参照して、本発明の実施の形態を詳細に説明する。
【００２１】
まず、図１を参照して、本実施の形態に係るデジタルカメラ１０の外観上の構成を説明する。
【００２２】
同図に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際にユーザによって押圧操作されるレリーズボタン（所謂シャッター）６０と、電源スイッチ６６と、が備えられている。
【００２３】
なお、本実施の形態に係るレリーズボタン６０は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２４】
また、本実施の形態に係るデジタルカメラ１０は、静止画像の撮影の他、動画像の撮影も行うことができるように構成されており、静止画像の撮影を行う際には、レリーズボタン６０を半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００２５】
これに対し、動画像の撮影を行う際には、レリーズボタン６０を全押し状態とすることによって動画像の撮影が開始され、レリーズボタン６０の押下状態を一旦未押下状態まで戻した後、再度全押し状態とすることによって当該動画像の撮影が停止されるように構成されている。このように、本実施の形態に係るデジタルカメラ１０では、動画像の撮影を開始するときにレリーズボタン６０を全押し状態とし、当該撮影を停止するときに再度レリーズボタン６０を全押し状態とするものであるが、これに限らず、レリーズボタン６０を全押し状態としている期間中に動画像の撮影を行う形態とすることもできる。
【００２６】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ６２と、ＬＣＤ３０の表示領域における上下左右の４方向の移動方向を示す４つの矢印キー及び当該４つの矢印キーの中央部に位置された決定キーの合計５つのキーを含んで構成された十字カーソルボタン６４と、表示切替スイッチ６８と、が備えられている。
【００２７】
一方、デジタルカメラ１０の底面には、外部装置と所定のインタフェース規格（本実施の形態では、ＵＳＢ（Ｕｎｉｖｅｒｓａｌ  Ｓｅｒｉａｌ  Ｂｕｓ））により電気的に接続するために用いられるレセプタクル７２が設けられている。
【００２８】
次に、図２を参照して、本実施の形態に係るデジタルカメラ１０の構成を説明する。
【００２９】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００３０】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３１】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに対して圧縮処理を施す一方、圧縮処理されたデジタル画像データに対して伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号）を生成してビデオ出力端子ＯＵＴに出力するビデオ／ＬＣＤエンコーダ２８と、を含んで構成されている。なお、画像入力コントローラ２０の入力端子はＡＤＣ１８の出力端子に接続されている。
【００３２】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値）を検出するＡＦ検出回路３４と、ＡＥ機能及びＡＷＢ（Ａｕｔｏｍａｔｉｃ  Ｗｈｉｔｅ  Ｂａｌａｎｃｅ）機能を働かせるために必要とされる物理量（本実施の形態では、ＣＣＤ１４による撮像によって得られた画像の明るさを示す量）を検出するＡＥ・ＡＷＢ検出回路３６と、ＣＰＵ３２による各種処理の実行時のワークエリア等として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成された第１メモリ３８と、主として撮影により得られたデジタル画像データを記憶するＶＲＡＭ（ＶｉｄｅｏＲＡＭ）により構成された第２メモリ４０と、を含んで構成されている。
【００３３】
更に、デジタルカメラ１０は、スマートメディア（Ｓｍａｒｔ  Ｍｅｄｉａ（Ｒ））により構成された記録メディア４２Ａ及びマイクロドライブにおける記録メディア４２Ｂをデジタルカメラ１０でアクセス可能とするためのメディアコントローラ４２と、前述のレセプタクル７２に接続されると共にＵＳＢ規格による外部との間の通信を司るＵＳＢインタフェース４６と、を含んで構成されている。
【００３４】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、及びＵＳＢインタフェース４６は、各々、バスＢＵＳを介して相互に接続されている。
【００３５】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、記録メディア４２Ａ、及び記録メディア４２Ｂへのアクセスと、レセプタクル７２に接続された外部装置との相互通信と、を各々行うことができる。
【００３６】
なお、本実施の形態では、外部記録媒体としてＣＤ−Ｒを使用し、外部装置としてＣＤ−Ｒドライブ装置９２が接続されたパーソナル・コンピュータ（以下、「ＰＣ」という）９０を適用する場合について説明する。
【００３７】
また、本実施の形態では、撮影によって得られたデジタル画像データは、画像ファイルとして記録メディア４２Ａに撮影順に記録される。
【００３８】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端子はＣＰＵ３２に、出力端子はＣＣＤ１４に、各々接続されており、ＣＣＤ１４の駆動は、ＣＰＵ３２によりタイミングジェネレータ４８を介して制御される。
【００３９】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００４０】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４１】
ＣＰＵ３２は、光学ズーム倍率を変更する際にはズームモータを駆動制御して光学ユニット１３に含まれるレンズの焦点距離を変化させる。
【００４２】
また、ＣＰＵ３２は、ＣＣＤ１４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Ｔｈｒｏｕｇｈ  Ｔｈｅ  Ｌｅｎｓ）方式を採用している。
【００４３】
更に、前述のレリーズボタン６０、モード切替スイッチ６２、十字カーソルボタン６４、電源スイッチ６６、及び表示切替スイッチ６８の各種ボタン類及びスイッチ類はＣＰＵ３２に接続されており、ＣＰＵ３２は、これらのボタン類及びスイッチ類に対する操作状態を常時把握できる。
【００４４】
ところで、本実施の形態に係るデジタルカメラ１０は、撮影によって記録メディア４２Ａに記録された画像ファイルを外部装置に転送するモードであるバックアップモードが、ＬＣＤ３０に表示される不図示のメニュー画面上で設定できるように構成されている。
【００４５】
また、当該バックアップモードには、転送候補となる画像ファイルにより示される被写体像を１枚ずつＬＣＤ３０に表示させて転送すべき画像ファイルを選択することができる１コマ再生モードと、転送候補となる画像ファイルにより示される被写体像（本実施の形態では、サムネール（Ｔｈｕｍｂｎａｉｌ））を複数（本実施の形態では、４画像）ずつＬＣＤ３０に表示させて転送すべき画像ファイルを選択することができるマルチ再生モードと、転送候補となる画像ファイルのファイル名をＬＣＤ３０に一覧表示させて転送すべき画像ファイルを選択することができるファイル名表示モードと、の３種類のモードが用意されている。表示切替スイッチ６８は、バックアップモードが設定されているときに、１コマ再生モード、マルチ再生モード、及びファイル名表示モードの何れのモードを適用するかを設定するものである。
【００４６】
本実施の形態に係るデジタルカメラ１０の作用を説明する。
【００４７】
まず、撮影時におけるデジタルカメラ１０の作用を簡単に説明する。
【００４８】
光学ユニット１３を介した撮像によってＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００４９】
画像入力コントローラ２０は内蔵しているラインバッファにＡＤＣ１８から順次入力されるデジタル画像データを蓄積して一旦第２メモリ４０の所定領域に格納する。
【００５０】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という）を生成し、ＹＣ信号を第２メモリ４０の上記所定領域とは異なる領域に格納する。
【００５１】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００５２】
ここで、ユーザにより静止画像の撮影が設定されているときには、レリーズボタン６０がユーザによって全押し状態とされたときに、この時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４２Ａに記録する。
【００５３】
また、ユーザにより動画像の撮影が設定されているときには、レリーズボタン６０が全押し状態とされた時点から次にレリーズボタン６０が全押し状態とされる時点までの期間、すなわち動画像の撮影を行っている期間において、所定期間（本実施の形態では、１／３０秒（０．０３３・・・秒））毎に、第２メモリ４０に格納されているＹＣ信号を、圧縮・伸張処理回路２４によって所定の圧縮形式（本実施の形態では、Ｍｏｔｉｏｎ  ＪＰＥＧ形式）で圧縮した後にメディアコントローラ４２を介して記録メディア４２Ａに記録する。従って、本実施の形態に係るデジタルカメラ１０で動画像の撮影を行うときには、３０フレーム／秒の動画像を記録メディア４２Ａに記録することができる。
【００５４】
図３〜図９を参照して、デジタルカメラ１０において実行されるバックアップ処理について説明する。
【００５５】
図３は、図２のデジタルカメラにおいて、記録メディアをセットする記録メディアスロットが１つのみ設けられたもので（従って、記録メディア４２Ａのみセット可能である）、モード切替スイッチ６２により撮影モードが設定され、かつ不図示のメニュー画面上でバックアップモードが設定されている場合にデジタルカメラ１０のＣＰＵ３２で実行されるバックアップ処理プログラムの処理の流れを示すフローチャートである。
【００５６】
まず、画像データ転送先であるＣＤ−Ｒドライブ装置９２の記録媒体（ＣＤ−Ｒ）残記録容量（以下、「空き容量」という）ＥＳをユーザが設定する（ステップ１００）。図５は、バックアップモード設定時に画像転送先の記録媒体の空き容量を設定する際のＬＣＤ３０の画面である。ここでは、ＣＤ−Ｒに転送するとし、空き容量ＥＳ＝６４０ＭＢと設定する。
【００５７】
次に、記録メディア４２Ａの残記録容量ＡＳを取得する（ステップ１０２）。ここでは、ＡＳ＝１ＧＢとする。
【００５８】
そして、記録メディア４２Ａの残記録容量ＡＳがＣＤ−Ｒの空き容量ＥＳより大きいかどうか判断する（ステップ１０４）。
【００５９】
大きい場合には（１ＧＢ＞６４０ＭＢ）、記録済みデータ量がＥＳとほぼ同じになったかどうか判断する（ステップ１０６）。ほぼ同じでない場合には、ステップ１０６を繰り返す。ほぼ同じになった場合には、記録メディア４２Ａに画像格納用の新しいフォルダを作成し、以降の画像データはその新しいフォルダに記録する（ステップ１０８）。
【００６０】
図６は、これらの場合における記録メディア内での画像データの記録状況を示した図である。「￥１００ＦＵＪＩ￥」のフォルダには、画像データファイル「ＤＳＣＦ０００１」から画像データファイル「ＤＳＣＦ０７７７」までが記録され、「ＤＳＣＦ０７７７」が記録された時点で記録済み画像データ量は６３９．５ＭＢに達しており、次の画像データファイルを記録するときにＣＤ−Ｒの空き容量ＥＳ＝６４０ＭＢに達してしまうので、記録メディア４２Ａ内に新しいフォルダ「￥１０１ＦＵＪＩ￥」が作成され、以降の画像データがファイル「ＤＳＣＦ０００１」から始まって順次記録される。
【００６１】
ステップ１０４で記録メディア４２Ａの残記録容量ＡＳがＣＤ−Ｒの空き容量ＥＳより大きくないか等しい場合、ここでは、ＥＳ＝６４０ＭＢ、記録メディア４２ＡのＡＳ＝５１２ＭＢ、記録途中で記録メディア４２Ａが残記録容量が無くなって代わりにセットされた記録メディア４２Ａ´のＡＳ＝５１２ＭＢ、を想定する。
【００６２】
ステップ１０４で記録メディア４２Ａについて否定判断されたときは、すなわち記録メディア４２Ａの残記録容量５１２ＭＢがＣＤ−Ｒの空き容量６４０ＭＢより小さいので、記録メディア４２Ａがまず全容量分記録される。記録メディア４２Ａの残容量がなくなると、記録メディア４２Ａを記録メディアスロットから抜いて代わりに記録メディア４２Ａ´をセットする。記録メディア４２Ａと記録メディア４２Ａ´との合計記録済み画像データ量がＥＳにほぼ達したかどうか判断する（ステップ１１０）。このステップ１１０は、まだ記録メディア４２Ａが記録メディアスロットにセットされている段階でも判断される。
【００６３】
ステップ１１０で、記録メディア４２Ａと４２Ａ´との合計記録済み画像データ量がＥＳにほぼ達したときは、転送先のＣＤ−Ｒに画像データ記録用の新しいフォルダを作成するよう指示する（ステップ１１２）。
【００６４】
ステップ１１０で、記録メディア４２Ａと４２Ａ´との合計記録済み画像データ量がＥＳにまだ達していない場合は、それまで記録されてきたフォルダと同じ名前のフォルダにそれまでの画像ファイルと連続するファイル番号で画像データが記録される（ステップ１１４）。
【００６５】
図７は、これらの場合におけるＣＤ−Ｒ内での画像データの記録状況を示した図である。記録メディア４２Ａを示す「Ｍｅｄｈｉａ１  ￥ＤＣＩＭ」の「￥１００ＦＵＪＩ￥」のフォルダには、画像データファイル「ＤＳＣＦ０００１」から画像データファイル「ＤＳＣＦ０５５５」までが記録され、「ＤＳＣＦ０５５５」が記録された時点で記録済み画像データ量は５１１．５ＭＢに達しており、次の画像データファイルを記録するときに記録メディア４２Ａの空き容量ＡＳ＝５１２ＭＢに達してしまう。ここで、記録メディア４２Ａが抜かれ、新しい記録メディア４２Ａ´がセットされて転送先のＣＤ−Ｒ内にフォルダが作成されるよう指示される。そのフォルダ名は、記録メディア４２Ａ´を示す「Ｍｅｄｈｉａ２」から始まるが、引き続き記録メディア４２Ａのフォルダ名と同じ「￥ＤＣＩＭ  ￥１００ＦＵＪＩ￥」の名前が付される。以降の画像データは記録メディア４２Ａで記録されていたファイル番号と連続するファイル番号、すなわち、「ＤＳＣＦ０５５６」から始まって順次記録される。ファイル番号「ＤＳＣＦ０６８０」が記録されると、記録メディア４２Ａと４２Ａ´との合計記録済み画像データ量が６３９．７ＭＢになり、ＥＳ＝６４０ＭＢにほぼ達する。すると、転送先のＣＤ−Ｒが容量満杯になって新しいＣＤ−Ｒに差し替えられ、新しいＣＤ−Ｒ内に新しいフォルダ「Ｍｅｄｈｉａ２  ￥ＤＣＩＭ  ￥１０１ＦＵＪＩ￥」が作成されるよう指示され、以降の画像データがその作成されたフォルダ内のファイル番号「ＤＳＣＦ０００１」から始まった画像ファイルに順次記録される。ここで、記録済み画像データ量とＥＳはそれぞれリセットされ、新たに０からカウントが始まる。
【００６６】
図４を用いてダブルスロットを備えて同時に記録メディアを２枚セットできるデジタルカメラにおける本発明の実施の形態を説明する。
【００６７】
図４は、図２のデジタルカメラのように記録メディアスロットが２つ設けられたデジタルカメラにおいて、モード切替スイッチ６２により撮影モードが設定され、かつ不図示のメニュー画面上でバックアップモードが設定されている場合にデジタルカメラ１０のＣＰＵ３２で実行されるバックアップ処理プログラムの処理の流れを示すフローチャートである。
【００６８】
まず、画像データ転送先であるＣＤ−Ｒドライブ装置９２の記録媒体（ＣＤ−Ｒ）残記録容量（以下、「空き容量」という）ＥＳをユーザが設定する（ステップ１２０）。図５は、バックアップモード設定時に画像転送先の記録媒体の空き容量を設定する際のＬＣＤ３０の画面である。ここでは、ＣＤ−Ｒに転送するとし、空き容量ＥＳ＝６４０ＭＢと設定する。
【００６９】
次に、記録メディア４２Ａの残記録容量ＡＳ１、記録メディア４２Ｂの残記録容量ＡＳ２を取得する（ステップ１２２）。ここでは、ＡＳ１＝５１２ＭＢ、ＡＳ２＝５１２ＭＢとする。
【００７０】
そして、記録メディア４２Ａの残記録容量ＡＳ１がＣＤ−Ｒの空き容量ＥＳより大きいかどうか判断する（ステップ１２４）。
【００７１】
上記実施の形態と異なり、大きい場合には、記録済みデータ量がＥＳとほぼ同じになったかどうか判断する（ステップ１２６）。ほぼ同じでない場合には、ステップ１２６を繰り返す。ほぼ同じになった場合には、記録メディア４２Ａに画像格納用の新しいフォルダを作成し、以降の画像データはその新しいフォルダに記録する（ステップ１２８）。
【００７２】
ステップ１２４で記録メディア４２Ａの残記録容量ＡＳ１がＣＤ−Ｒの空き容量ＥＳより大きくないか等しい場合、ここでは、ＥＳ＝６４０ＭＢ、記録メディア４２ＡのＡＳ１＝５１２ＭＢ、記録途中で記録メディア４２Ａが残記録容量が無くなって他方のスロットにセットされている記録メディア４２ＢのＡＳ２＝５１２ＭＢ、を想定する。
【００７３】
ステップ１２４で記録メディア４２Ａについて否定判断されたときは、すなわち記録メディア４２Ａの残記録容量５１２ＭＢがＣＤ−Ｒの空き容量６４０ＭＢより小さいので、記録メディア４２Ａがまず全容量分記録される。記録メディア４２Ａの残容量がなくなったかどうか判断される（ステップ１３０）。否定判断の場合はステップ１３０が繰り返される。肯定判断の場合は、記録メディア４２Ｂに引き続き記録される。
【００７４】
記録メディア４２Ｂには、記録メディア４２Ａで記録されてきたフォルダと同じ名前のフォルダに記録メディア４２Ａの画像ファイルと連続するファイル番号で画像データが記録される（ステップ１３２）。
【００７５】
そして、記録メディア４２Ａと記録メディア４２Ｂとの合計記録済み画像データ量がＥＳにほぼ達したかどうか判断する（ステップ１３４）。
【００７６】
ステップ１３４で、記録メディア４２Ａと４２Ｂとの合計記録済み画像データ量がＥＳにほぼ達したときは、転送先のＣＤ−Ｒに画像データ記録用の新しいフォルダを作成し、記録メディア４２Ａに記録したときと連続するファイル番号で記録するよう指示する（ステップ１３６）。ステップ１３４で、記録メディア４２Ａと４２Ｂとの合計記録済み画像データ量がＥＳにまだ達していない場合は、ステップ１３４を繰り返す。
【００７７】
図８は、これらの場合におけるＣＤ−Ｒ内での画像データの記録状況を示した図である。記録メディアスロット１の記録メディア４２Ａを示す「スロット１  ￥ＤＣＩＭ」の「￥１００ＦＵＪＩ￥」のフォルダには、画像データファイル「ＤＳＣＦ０００１」から画像データファイル「ＤＳＣＦ０５５５」までが記録され、「ＤＳＣＦ０５５５」が記録された時点で記録済み画像データ量は５１１．５ＭＢに達しており、次の画像データファイルを記録するときに記録メディア４２Ａの空き容量ＡＳ＝５１２ＭＢに達してしまう。ここで、記録メディア４２Ａへの記録が終了し、記録メディアスロット２の記録メディア４２Ｂへ画像データが記録され始める。転送先のＣＤ−Ｒ内には記録メディア４２Ｂフォルダが作成されるよう指示される。そのフォルダ名は、記録メディア４２Ｂを示す「スロット２」から始まるが、引き続き記録メディア４２Ａのフォルダ名と同じ「￥ＤＣＩＭ  ￥１００ＦＵＪＩ￥」の名前が付される。以降の画像データは記録メディア４２Ａで記録されていたファイル番号と連続するファイル番号、すなわち、「ＤＳＣＦ０５５６」から始まって順次記録される。ファイル番号「ＤＳＣＦ０６８０」が記録されると、記録メディア４２Ａと４２Ｂとの合計記録済み画像データ量が６３９．７ＭＢになり、ＥＳ＝６４０ＭＢにほぼ達する。すると、転送先のＣＤ−Ｒが容量満杯になって新しいＣＤ−Ｒに差し替えられ、新しいＣＤ−Ｒ内に新しいフォルダ「￥ＤＣＩＭ  ￥１０１ＦＵＪＩ￥」が作成されるよう指示され、以降の画像データがその作成されたフォルダ内のファイル番号「ＤＳＣＦ０００１」から始まった画像ファイルに順次記録される。ここで、記録済み画像データ量とＥＳはそれぞれリセットされ、新たに０からカウントが始まる。
【００７８】
なお、上記図３〜図８の実施の形態において、ＣＤ−Ｒ等の外部記録媒体の設定した残容量までの記録メディアの残記録容量に対応する記録可能枚数がＬＣＤ３０に表示される。また、現在セットされている記録メディアの残記録容量に対応する記録可能枚数もＬＣＤ３０に表示される。図９は、現在セットされている記録メディアの残記録容量に対応する記録可能枚数及びＣＤ−Ｒ等の外部記録媒体の設定した残容量までの記録メディアの残記録容量に対応する記録可能枚数をＬＣＤ３０に表示する表示例を示した図である。
【００７９】
この表示によると、ユーザは現在セットされている記録メディアに記録可能な残枚数（１２０枚）並びにバックアップ先の記録媒体に記録可能な残枚数（５５枚）を知ることができ、効率よくバックアップするための撮影時のコントロールをすることができる。
【００８０】
本実施の形態によれば、デジタルカメラ側にバックアップ時の設定をすることができることにより、バックアップデータをＣＤ−Ｒ等の外部記録媒体に記録する際に、カメラ側のメディア容量とバックアップ側の外部記録媒体容量とが異なってもユーザがそれぞれの空き容量を気にすることなくバックアップができるので、大変便利である。また、バックアップ時にバックアップするファイルを選択する作業をしなくて済む
上述のデジタルカメラ１０では、スマートメディア（Ｓｍａｒｔ  Ｍｅｄｉａ）により構成された記録メディア４２Ａ及びマイクロドライブにおける記録メディア４２Ｂとしたが、適用可能な記録メディアはこれらに限られず、ＸＤピクチャーカード（登録商標）、コンパクトフラッシュ（登録商標）、メモリースティック（登録商標）、ＳＤメモリーカード（登録商標）などの種々の記録メディアが適用できる。
【００８１】
また、外部記録媒体としては、上述したＣＤ−Ｒの他、ＤＶＤ、ＭＯ、ＭＤなどが適用可能である。
【００８２】
【発明の効果】
本発明によれば、ユーザが画像情報のバックアップ作業等をする際にそのバックアップ作業を効率よく行うことができる。
【図面の簡単な説明】
【図１】デジタルカメラの外観上の構成を示した図。
【図２】デジタルカメラの電気系の構成を示すブロック図。
【図３】記録メディアスロットが１つのみ設けられたデジタルカメラにおいて撮影モードが設定されかつバックアップモードが設定されている場合に、デジタルカメラのＣＰＵで実行されるバックアップ処理プログラムの処理の流れを示すフローチャート。
【図４】記録メディアスロットが２つ設けられたデジタルカメラにおいて撮影モードが設定されかつバックアップモードが設定されている場合に、デジタルカメラのＣＰＵで実行されるバックアップ処理プログラムの処理の流れを示すフローチャート。
【図５】バックアップモード設定時に画像転送先の記録媒体の空き容量を設定する際のＬＣＤの画面の図。
【図６】記録メディアの残記録容量が外部記録媒体の空き容量より大きい場合における記録メディア内での画像データの記録状況を示した図。
【図７】記録メディアスロットが１つ設けられ、途中で記録メディアを差し替えた場合で第１の記録メディアの残記録容量が外部記録媒体の空き容量より大きくない場合における外部記録媒体内での画像データの記録状況を示した図。
【図８】記録メディアスロットが２つ設けられ、途中で記録対象の記録メディアが変わった場合で第１の記録メディアの残記録容量が外部記録媒体の空き容量より大きくない場合における外部記録媒体内での画像データの記録状況を示した図。
【図９】現在セットされている記録メディアの残記録容量に対応する記録可能枚数及び外部記録媒体の設定した残容量までの記録メディアの残記録容量に対応する記録可能枚数をＬＣＤに表示する表示例を示した図。
【符号の説明】
１０…デジタルカメラ、３０…液晶ディスプレイ（ＬＣＤ）、３２…ＣＰＵ、４２・・・  メディアコントローラ、４２Ａ…記録メディア、４２Ｂ…記録メディア、４６…ＵＳＢインタフェース、６２・・・  モード切替スイッチ、６４…十字カーソルボタン、７２・・・  レセプタクル、９０…パーソナル・コンピュータ、９２…ＣＤ−Ｒドライブ装置
【図１】
2005005841.tif 000003
【図２】
2005005841.tif 000004
【図３】
2005005841.tif 000005
【図４】
2005005841.tif 000006
【図５】
2005005841.tif 000007
【図６】
2005005841.tif 000008
【図７】
2005005841.tif 000009
【図８】
2005005841.tif 000010
【図９】
2005005841.tif 000011